(57)【特許請求の範囲】
【請求項１】
板バネ状部材の上面プレート（１）がミッドソール上面を形成し、板バネ状部材の下面プレート（２）がミッドソール下面を形成し、上面プレート（１）と下面プレート（２）はつま先側で接合し、上面プレート（１）と下面プレート（２）の間に板バネ状部材の主バネ（３）を挿入して構成し、上面プレート（１）と主バネ（３）の接合位置は、上面プレート（１）全長の前方より１／３の範囲内とするランニングシューズ用ミッドソール。
【請求項２】
上面プレート（１）と下面プレート（２）または地面に挟まれる空間の、一部または全部に発泡体を挿入した、請求項１に記載のランニングシューズ用ミッドソール。
【発明の詳細な説明】
【技術分野】
【０００１】  本発明は、走行における接地荷重の反発力を、走行の推進力として効率的に利用するのに好適なランニングシューズ用ミッドソールに関する。
【背景技術】
【０００２】  従来のランニングシューズ用ミッドソールはほとんどが発泡体で製作されており、バネはほとんど利用されていない。弾性体の反発力を利用して飛び跳ねるための道具として代表的なものには、トランポリン、ロイター板、ホッピング、などが挙げられ、これらで利用される弾性体は、ほとんどがコイルバネや板バネなどのバネであることから、バネは発泡体と比較して効率的に利用できる反発力を発すると考えられる。走行における接地荷重の反発力は走行の推進力に寄与することから、ランニングシューズ用ミッドソールにバネを利用することは、走行における接地荷重の反発力を走行の推進力として効率的に利用するために有用である。【０００３】  ミッドソールでは、厚みを増すことで変形範囲を大きくし、ミッドソールが発する反発力をより長時間にわたって作用させるようにすることができる。長すぎる作用時間の反発力はランニングの俊敏性を妨げるが、適度に長い作用時間の反発力は、短時間に衝撃的に作用する反発力と比較して、走行の推進力に効率的に利用できる。発泡体からなるミッドソールでは、変形が大きくなると、発泡体の剛性の低さにより左右方向のぶれが増して走行が不安定となることから、ミッドソールの変形範囲を大きくする構造とすることにはある程度の限度がある。【０００４】  特許文献１では、板バネやコイルバネを靴底に取り付けたシューズが考案されている。板バネを利用したものは、２枚の板バネがつま先側と踵側の両端で接合しており、かつ、踵側でアッパーと板バネが接触していない構造のため、走行の蹴り出し時に発する反発力は踵にはほとんど作用しないものとなっている。【０００５】  特許文献２では、ランニングシューズ用ミッドソールを、踵側で接合した２枚の硬質プレートにより構成する考案がされている。この考案では、プレートが踵側で接合しており、かつ、走行の蹴り出し時に踵側のアッパーとミッドソールが離れる構造のため、走行の蹴り出し時に発する反発力は踵にはほとんど作用しないものとなっている。
【先行技術文献】
【特許文献】
【０００６】
【特許文献１】特開平０６−１８９８０１号公報
【特許文献２】特開２０１０−１６２３１８号公報
【発明の概要】
【発明が解決しようとする課題】
【０００７】  走行における接地荷重の反発力を、走行の推進力として効率的に利用することを課題とする。
【課題を解決するための手段】
【０００８】
前記課題を解決するため、本発明に係るミッドソールは、板バネ状部材の上面プレート１がミッドソール上面を形成し、板バネ状部材の下面プレート２がミッドソール下面を形成し、上面プレート１と下面プレート２はつま先側で接合し、上面プレート１と下面プレート２の間に板バネ状部材の主バネ３を挿入して構成し、上面プレート１と主バネ３の接合位置は、上面プレート１全長の前方より１／３の範囲内とする。
【発明の効果】
【０００９】  本発明に係るミッドソールでは、発泡体と比較して効率的に利用できる反発力を発する板バネで構成することにより、発泡体からなるミッドソールと比較して、効率的に反発力を利用することができる。【００１０】  本発明に係るミッドソールでは、変形が大きい場合（図２）においても、板バネ状部材（上面プレート１、下面プレート２、主バネ３）のねじり剛性の高さにより左右方向のぶれが抑制されて走行の不安定さを生じにくいため、発泡体からなるミッドソールと比較して、ミッドソールの変形範囲を大きくする構造とすることが可能である。【００１１】  本発明に係るミッドソールは、上面プレート１と下面プレート２がつま先側で接合しているため、走行の蹴り出し時には、図３のように踵側がつま先側よりも押し上げられる状態となる。このため、走行の蹴り出し時に発する反発力は、作用する方向が鉛直上向ではなく、鉛直上向から走行進行方向へ傾斜した方向となり、走行の推進力として有効な力となる。また、上面プレート１は足裏全面に接触しており、走行の蹴り出し時に発する反発力は踵側にも作用するため、蹴り出し時における足首伸展の助力となる。【００１２】  請求項２に記載のミッドソールでは、上面プレート１と下面プレート２または地面に挟まれる空間の、一部または全部に発泡体を挿入している。これは、上面プレート１、下面プレート２、主バネ３の過度の変形を抑制して破損を防止する効果、ミッドソール内部に小石等の異物が挟まることを予防する効果、および、上面プレート１、下面プレート２、主バネ３のそれぞれの接合における接合材としての効果となり得る。
【図面の簡単な説明】
【００１３】
【図１】  本発明に係るミッドソールの斜視図である。
【図２】  走行の接地時（変形が大きい時）の側面図である。
【図３】  走行の蹴り出し時の側面図である。
【図４】  実施例の斜視図である。
【発明を実施するための形態】
【００１４】
図４に本発明に係るミッドソールの実施例を示す。図４においてミッドソールは、板バネ状部材の上面プレート１がミッドソール上面を形成し、板バネ状部材の下面プレート２がミッドソール下面を形成し、上面プレート１と下面プレート２はつま先側で接合し、上面プレート１と下面プレート２の間に板バネ状部材の主バネ３を挿入して構成し、上面プレート１と主バネ３の接合位置は、上面プレート１全長の前方より１／３の範囲内とする。
【００１５】  上面プレート１、下面プレート２、主バネ３の材質は、ここではＦＲＰ（繊維強化プラスチック）としているが、他の材質による製作を排除するものではない。
【００１６】  上面プレート１と下面プレート２、および、下面プレート２と主バネ３の接合方法は、ここでは図４に示すように、ヒンジ４を使用した接合としている。これにより、上面プレート１と下面プレート２、および、下面プレート２と主バネ３は、それぞれの接合点を支点とした相対運動が可能となるとともに、固定的に接合した場合と比較して、接合点付近に発生する応力集中を抑えることができる。
【００１７】  上面プレート１と主バネ３の接合方法は、ここでは図４に示すように、接合点付近における相対運動がほとんど生じない部分のため、リベット５による固定的な接合としている。
【００１８】  前記２種の接合方法以外にも、一体成型、接着、ボルトナット、などの接合方法があり、それぞれにメリットがあるため、接合方法として前記の接合方法以外を排除するものではない。
【００１９】  図１〜４に示される本発明に係るミッドソールでは、踵が接地しないフォアフット走法での使用を想定して、下面プレート２の踵側を短縮して軽量化を図っているが、他の走法での使用を想定して下面プレート２を踵下まで延長することを排除するものではない。
【符号の説明】
【００２０】１  上面プレート
２  下面プレート
３  主バネ
４  ヒンジ
５  リベット
【要約】
【課題】  走行における接地荷重の反発力を、走行の推進力として効率的に利用することができるランニングシューズ用ミッドソールを提供する。
【解決手段】  板バネ状部材の上面プレート１がミッドソール上面を形成し、板バネ状部材の下面プレート２がミッドソール下面を形成し、上面プレート１と下面プレート２はつま先側で接合し、上面プレート１と下面プレート２の間に板バネ状部材の主バネ３を挿入して構成するミッドソールとする。
【選択図】図１【図１】
0006923720.tif 000002
【図２】
0006923720.tif 000003
【図３】
0006923720.tif 000004
【図４】
0006923720.tif 000005